(57)【要約】【課題】正確な時刻表示および時報出力を行なうことが可能な映像受信装置を提供する。【解決手段】映像受信装置２で受信した映像に標準時計１０からの時刻データを付加して、オンスクリーン表示させることにより、放送局からの電波を直接受信できない携帯型テレビなどで任意の場所で放送視聴する場合など、受信映像が遅延している場合でも正確な時刻表示を行なうことができる。これにより、テレビ画像に表示される時刻によって、手元にある時計を正確に合わせることが可能となる。【選択図】　　　　図１
2004088690.tif 000002
【特許請求の範囲】
【請求項１】
入力された高周波信号を受信する無線受信回路と、受信した高周波信号から変換されたデータ圧縮信号を元のデジタル映像信号およびデジタル音声信号に戻すデータ伸長回路と、デジタル映像信号をアナログ映像信号に変換する映像デジタル／アナログ変換回路と、入力されたデジタル音声信号をアナログ音声信号に変換する音声デジタル／アナログ変換回路とを備えた映像受信装置において、
時刻を示す時刻データ信号を出力する時計手段と、
前記アナログ映像信号に前記時刻データ信号を付加して時刻データをスクリーンに表示させるオンスクリーン表示手段と、
前記時刻データ信号に基づいて予め定められた表示時間だけ前記アナログ映像信号に前記時刻データ信号を付加するように前記オンスクリーン表示手段を制御する制御手段を備えたことを特徴とする映像受信装置。
【請求項２】
前記時刻データ信号は、標準時刻の前記予め定められた表示時間前から標準時刻まで前記アナログ映像信号に付加されることを特徴とする請求項１に記載の映像受信装置。
【請求項３】
さらに、前記表示時間を所望の時間に調整する表示時間調整手段を備えたことを特徴とする請求項１または請求項２に記載の映像受信装置。
【請求項４】
さらに、前記アナログ音声信号に時報音信号を付加して時報音を発生させる時報音信号付加手段を備え、
前記制御手段は、前記時計手段からの時刻データ信号に基づいて予め定められた付加時間だけ前記アナログ音声信号に前記時報音信号を付加するように前記時報音信号付加手段を制御することを特徴とする請求項１から請求項３までのいずれか１項に記載の映像受信装置。
【請求項５】
前記時刻データ信号は、標準時刻の前記予め定められた付加時間前から標準時刻まで前記アナログ音声信号に付加されることを特徴とする請求項４に記載の映像受信装置。
【請求項６】
前記時報音信号付加手段は、時報音信号付加期間に伝送中の音声信号を一時的に停止し、時報音に切り換える切換回路を含むことを特徴とする請求項４または請求項５に記載の映像受信装置。
【請求項７】
さらに、時報音信号を付加する時間を所望の時間に調整する時報音信号付加時間調整手段を備えたことを特徴とする請求項４から請求項６までのいずれか１項に記載の映像受信装置。
【請求項８】
さらに、前記オンスクリーン表示手段の機能を使用するかしないかを選択する第１の選択手段を備えたことを特徴とする請求項１から請求項７までのいずれか１項に記載の映像受信装置。
【請求項９】
前記第１の選択手段は、オン／オフによって前記オンスクリーン表示手段の機能を使用するかしないかを選択するスイッチを含むことを特徴とする請求項８に記載の映像受信装置。
【請求項１０】
前記第１の選択手段は、外部からの制御信号を入力する入力端子を含むことを特徴とする請求項８に記載の映像受信装置。
【請求項１１】
前記第１の選択手段は、赤外線リモコン信号を受信し、電気信号に変換して前記制御手段に伝達するリモコン受光手段を含むことを特徴とする請求項１０に記載の映像受信装置。
【請求項１２】
さらに、前記時報音信号付加手段の機能を使用するかしないかを選択する第２の選択手段を備えたことを特徴とする請求項４から請求項１１までのいずれか１項に記載の映像受信装置。
【請求項１３】
前記第２の選択手段は、オン／オフによって前記時報音信号付加手段の機能を使用するかしないかを選択するスイッチを含むことを特徴とする請求項１２に記載の映像受信装置。
【請求項１４】
前記第２の選択手段は、外部からの制御信号を入力する入力端子を含むことを特徴とする請求項１２に記載の映像受信装置。
【請求項１５】
前記第２の選択手段は、赤外線リモコン信号を受信し、電気信号に変換して前記制御手段に伝達するリモコン受光手段を含むことを特徴とする請求項１４に記載の映像受信装置。
【請求項１６】
さらに、前記時刻データ付加手段は、ブルーバック背景を表示するブルーバック映像信号で前記アナログ映像信号を置換し、そのブルーバック映像信号に時刻データ信号を付加することを特徴とする請求項１から請求項１５までのいずれか１項に記載の映像伝送受信装置。
【請求項１７】
入力されたアナログ映像信号をデジタル映像信号に変換する映像アナログ／デジタル変換回路と、入力されたアナログ音声信号をデジタル信号に変換する音声アナログ／デジタル変換回路と、前記デジタル映像信号およびデジタル音声信号をデータ圧縮するデータ圧縮回路と、このデータ圧縮回路からの圧縮映像音声信号を高周波信号に変換して送信する無線回路とを含む映像送信装置と、請求項１から請求項１６までのいずれか１項に記載の映像受信装置を備えた映像伝送システム。
【発明の詳細な説明】
【０００１】
【発明の属する技術分野】
この発明は、映像受信装置およびそれを備えた映像伝送システムに関し、特に無線で送信されたビデオ信号を受信する映像受信装置と、その映像受信装置を備えた映像伝送システムに関するものである。
【０００２】
【従来の技術】
図１１は、従来の映像伝送システムの概略構成を示すブロック図である。図１１において、この映像伝送システム６０は、映像送信装置３０と映像受信装置４０とを備える。
【０００３】
映像送信装置３０は、映像入力端子３１、音声入力端子３２、映像アナログ／デジタル変換回路（以下、映像Ａ／Ｄ変換回路とする）３３、データ圧縮回路３４、無線送信回路３５、音声アナログ／デジタル変換回路（以下、音声Ａ／Ｄ変換回路とする）３６、アンテナ端子３７、およびアンテナ３８を含む。
【０００４】
映像入力端子３１は、映像Ａ／Ｄ変換回路３３を介してデータ圧縮回路３４に接続され、音声入力端子３２は、音声Ａ／Ｄ変換回路３６を介してデータ圧縮回路３４に接続されている。データ圧縮回路３４の出力端子は、無線送信回路３５を介して、アンテナ端子３７に接続され、アンテナ端子３７にはアンテナ３８が接続されている。
【０００５】
映像受信装置４０は、アンテナ４１、アンテナ端子４２、無線受信回路４３、データ伸張回路４４、映像デジタル／アナログ変換回路（以下、映像Ｄ／Ａ変換回路とする）４５、映像出力端子５０、音声デジタル／アナログ変換回路（以下、音声Ｄ／Ａ変換回路とする）４９、音声出力端子５１を含む。
【０００６】
アンテナ４１はアンテナ端子４２に接続され、アンテナ端子４２は無線受信回路４３を介してデータ伸張回路４４に接続されている。データ伸張回路４４の出力端子は、映像Ｄ／Ａ変換回路４５を介して映像出力端子５０に接続されるとともに、音声Ｄ／Ａ変換回路４９を介して音声出力端子５１に接続されている。
【０００７】
次に、図１１に示した映像伝送システム６０の動作について説明する。映像送信装置３０において、映像入力端子３１および音声入力端子３２は、図示しないＶＴＲなどのビデオ再生装置に接続される。そのビデオ再生装置から映像入力端子３１に入力されたアナログ映像信号は、映像Ａ／Ｄ変換回路３３によってデジタル映像信号に変換され、データ圧縮回路３４に入力される。
【０００８】
また、上記ビデオ再生装置から音声入力端子３２に入力されたアナログ音声信号は、音声Ａ／Ｄ変換回路３６によってデジタル音声信号に変換され、データ圧縮回路３４に入力される。
【０００９】
データ圧縮回路３４は、入力されたデジタル映像信号およびデジタル音声信号をデータ圧縮し、データ圧縮映像音声信号に変換する。無線送信回路３５は、このデータ圧縮映像音声信号を高周波信号（ＲＦ）に変換し、アンテナ３８から映像受信装置４０へ送信する。
【００１０】
映像受信装置４０において、映像送信装置３０からの高周波信号（ＲＦ）は、アンテナ４１で受信され、無線受信回路４３によって元のデータ圧縮映像音声信号に変換される。データ伸張回路４４は、このデータ圧縮映像音声信号を伸張して元のデジタル映像信号およびデジタル音声信号に変換する。
【００１１】
デジタル映像信号は、映像Ｄ／Ａ変換回路４５によって元のアナログ映像信号に変換され、映像出力端子５０から出力される。デジタル音声信号は、音声Ｄ／Ａ変換回路４９によって元のアナログ音声信号に変換され、音声出力端子５１から出力される。
【００１２】
映像出力端子５０および音声出力端子５１を、たとえば図示しないテレビジョンの外部入力端子に接続すれば、映像送信装置３０に接続された図示しないＶＴＲなどのビデオ再生装置からの画像および音声を映像受信装置３０に接続された図示しないテレビジョンで視聴することができる。
【００１３】
【発明が解決しようとする課題】
しかし、従来の映像伝送システムでは、データ圧縮およびデータ伸張に要する時間だけ遅延が発生し、時刻表示と時報が実際の時刻よりも遅くなるという問題があった。このため、テレビ画像に表示される時刻および時報により手元にある時計を正確に合わせることができなかった。この遅延時間は、たとえばＭＰＥＧ２仕様の場合で約１秒である。
【００１４】
それゆえに、この発明の主たる目的は、正確な時刻表示および時報出力を行なうことが可能な映像受信装置および映像伝送システムを提供することである。
【００１５】
【課題を解決するための手段】
この発明に係る映像受信装置は、入力された高周波信号を受信する無線受信回路と、受信した高周波信号に含まれるデータ圧縮信号を元のデジタル映像信号およびデジタル音声信号に戻すデータ伸長回路と、デジタル映像信号をアナログ映像信号に変換する映像デジタル／アナログ変換回路と、入力されたデジタル音声信号をアナログ音声信号に変換する音声デジタル／アナログ変換回路とを含む。この映像受信装置において、時刻を示す時刻データ信号を出力する時計手段と、アナログ映像信号に時刻データ信号を付加して時刻データをスクリーンに表示させるオンスクリーン表示手段と、時刻データ信号に基づいて予め定められた表示時間だけアナログ映像信号に時刻データ信号を付加するようにオンスクリーン表示手段を制御する制御手段とを備えたことを特徴とするものである。
【００１６】
好ましくは、時刻データ信号は、標準時刻の予め定められた表示時間前から標準時刻までアナログ映像信号に付加される。
【００１７】
また、好ましくは、さらに、表示時間を所望の時間に調整する表示時間調整手段が設けられる。
【００１８】
また、好ましくは、アナログ音声信号に時報音信号を付加して時報音を発生させる時報音信号付加手段が設けられ、制御手段は、時計手段からの時刻データ信号に基づいて予め定められた付加時間だけアナログ音声信号に時報音信号を付加するように時報音信号付加手段を制御する。
【００１９】
また、好ましくは、時刻データ信号は、標準時刻の予め定められた付加時間前から標準時刻までアナログ音声信号に付加される。
【００２０】
また、好ましくは、さらに、時報音信号付加手段は、時報音信号付加期間に伝送中の音声信号を一時的に停止し、時報音に切り換える切換回路を含む。
【００２１】
また、好ましくは、さらに、時報音信号を付加する時間を所望の時間に調整する時報音信号付加時間調整手段が設けられる。
【００２２】
また、好ましくは、さらに、オンスクリーン表示手段の機能を使用するかしないかを選択する第１の選択手段が設けられる。
【００２３】
また、好ましくは、第１の選択手段は、オン／オフによってオンスクリーン表示手段の機能を使用するかしないかを選択するスイッチを含む。
【００２４】
また、好ましくは、第１の選択手段は、外部からの制御信号を入力する入力端子を含む。
【００２５】
また、好ましくは、第１の選択手段は、赤外線リモコン信号を受信し、電気信号に変換して制御手段に伝達するリモコン受光手段を含む。
【００２６】
また、好ましくは、さらに、時報音信号付加手段の機能を使用するかしないかを選択する第２の選択手段が設けられる。
【００２７】
また、好ましくは、第２の選択手段は、オン／オフによって時報音信号付加手段の機能を使用するかしないかを選択するスイッチを含む。
【００２８】
また、好ましくは、第２の選択手段は、外部からの制御信号を入力する入力端子を含む。
【００２９】
また、好ましくは、第２の選択手段は、赤外線リモコン信号を受信し、電気信号に変換して制御手段に伝達するリモコン受光手段を含む。
【００３０】
また、好ましくは、さらに、時刻データ信号付加手段は、ブルーバック背景を表示するブルーバック映像信号でアナログ映像信号を置換し、そのブルーバック映像信号に時刻データ信号を付加する。
【００３１】
また、この発明に係る映像伝送システムは、入力されたアナログ映像信号をデジタル映像信号に変換する映像アナログ／デジタル変換回路と、入力されたアナログ音声信号をデジタル信号に変換する音声アナログ／デジタル変換回路と、デジタル映像信号およびデジタル音声信号をデータ圧縮するデータ圧縮回路と、このデータ圧縮回路からの圧縮映像音声信号を高周波信号に変換して送信する無線回路とを含む映像送信装置と、上記映像受信装置とを備えたものである。
【００３２】
【発明の実施の形態】
［実施の形態１］
図１は、この発明の実施の形態１による映像伝送システム１の概略構成を示す回路ブロック図である。図１において、この映像伝送システム１は、映像送信装置３０と映像受信装置２とを備える。映像送信装置３０は、図１１で示したものと同じである。
【００３３】
映像受信装置２は、アンテナ３、アンテナ端子４、無線受信回路５、データ伸張回路６、映像Ｄ／Ａ変換回路７、オンスクリーン発生回路８、制御回路９、標準時計１０、映像出力端子１２、音声Ｄ／Ａ変換回路１１、および音声出力端子１３を含む。
【００３４】
アンテナ３はアンテナ端子４に接続され、アンテナ端子４は、無線受信回路５を介してデータ伸張回路６に接続されている。データ伸張回路６の出力端子は、映像Ｄ／Ａ変換回路７を介してオンスクリーン発生回路８に接続されている。オンスクリーン発生回路８の出力端子は、映像出力端子１２に接続されている。また、データ伸張回路６の出力端子は、音声Ｄ／Ａ変換回路１１にも接続されており、その回路１１を介して音声出力端子１３に接続されている。また、標準時計１０の出力端子は、制御回路９を介してオンスクリーン発生回路８に接続されている。
【００３５】
次に、図１に示した映像伝送システム１の動作について説明する。映像送信装置３０は、図示しないＶＴＲなどのビデオ再生装置に接続される。詳細な説明は省略するが、ビデオ再生装置からの映像信号および音声信号がデータ圧縮され、さらに高周波信号に変換されてアンテナ３８から送信される。
【００３６】
映像受信装置２において、映像送信装置３０からの高周波信号（ＲＦ）をアンテナ３で受信し、無線受信回路５で元のデータ圧縮映像音声信号に変換する。データ伸張回路６は、データ圧縮映像音声信号を伸張して元のデジタル映像信号およびデジタル音声信号に変換する。データ伸張回路６の出力信号は、映像Ｄ／Ａ変換回路７によって元のアナログ映像信号に変換されるとともに、音声Ｄ／Ａ変換回路１１によって元のアナログ音声信号に変換される。
【００３７】
映像Ｄ／Ａ変換回路７で生成されたアナログ映像信号は、オンスクリーン発生回路８に入力され、オンスクリーン発生回路８によって標準時刻表示信号が付加され、映像出力端子１２から出力される。この映像伝送システム１の使い方としては、たとえば、映像伝送装置３０を放送局から電波を直接受信できるＶＴＲに接続し、映像受信装置２を放送局からの電波を直接受信できない携帯型テレビに設置し、任意の場所で放送を視聴する場合などがある。
【００３８】
オンスクリーン発生回路８は、標準時計１０に接続された制御回路９によってコントロールされる。制御回路９は、たとえばマイクロコンピュータからなり、第１〜第３ポートＰ１，Ｐ２，Ｐ３を含む。第１〜第３ポートＰ１，Ｐ２，Ｐ３には、それぞれスイッチＳＷ１，ＳＷ２，ＳＷ３が接続されている。
【００３９】
図２は、制御回路９の動作を示すフローチャートである。なお、このフローチャートにおいては、時報時刻のｔ秒前から時報時刻までの間、オンスクリーン表示を行なうものとする。
【００４０】
ステップＳ１において、制御回路９の第３ポートＰ３が、スイッチＳＷ３によって「Ｌ」レベルにされているか否かを検出し、「Ｈ」レベルであれば、ステップＳ２へ移る。また、「Ｈ」レベルでなければ（「Ｌ」レベルであれば）、ステップＳ１に戻り、オンスクリーン表示を行なわない。
【００４１】
ステップＳ２において、標準時計からの時計データが５９分（６０−ｔ）秒であれば、ステップＳ３に移り、スクリーンに時刻データを表示し、ステップＳ４へ移る。そうでなければ、ステップＳ１に戻り、標準時計からの時計データが５９分（６０−ｔ）秒になるまで繰り返す。
【００４２】
ステップＳ４において、標準時計からの時計データが００分００秒でなければ、ステップＳ３に戻り、スクリーンに時刻データを表示しつづける。標準時計からの時計データが００分００秒になれば、ステップＳ５に移り、オンスクリーン表示をオフし、ステップＳ１に戻る。
【００４３】
したがって、この実施の形態１によれば、オンスクリーン表示を行なうか行なわないかの設定および、時報時刻のｔ秒前から時報時刻までのオンスクリーン表示の設定が実現できる。
【００４４】
図３は、制御回路９の動作において、時報時刻のｔ秒前から時報時刻までの間オンスクリーン表示を行なうためのオンスクリーン表示秒数（ｔ秒）を設定する方法を示すフローチャートである。
【００４５】
ステップＳ１１において、制御回路９の第１ポートＰ１がスイッチＳＷ１によって「Ｌ」レベルにされているか否かを検出し、「Ｌ」レベルであれば、ステップＳ１４へ移り、ｔ秒に１秒を加算し、ステップＳ１１に戻る。また、「Ｈ」レベルであれば（「Ｌ」レベルでなければ）、ステップＳ１２に移り、制御回路９の第２ポートＰ２が、スイッチＳＷ２によって「Ｌ」レベルにされているか否かを検出し、「Ｌ」レベルであれば、ステップＳ１３へ移り、ｔ秒から１秒を減算する。また、「Ｈ」レベルであれば（「Ｌ」レベルでなければ）ステップＳ１１へ戻る。よって、オンスクリーン表示秒数（ｔ秒）を任意の秒数に設定することができる。
【００４６】
［実施の形態２］
図４は、この発明の実施の形態２による映像受信装置２０の概略構成を示す回路ブロック図である。
【００４７】
図４において、この映像受信装置２０では、アンテナ３で受信された高周波信号（ＲＦ）は、無線受信回路５で元のデータ圧縮映像音声信号に変換される。データ伸張回路６は、データ圧縮映像音声信号を伸張して元のデジタル映像信号およびデジタル音声信号に変換する。データ伸張回路６の出力信号は、映像Ｄ／Ａ変換回路７によって元のアナログ映像信号に変換されるとともに、音声Ｄ／Ａ変換回路１１によって元のアナログ音声信号に変換される。
【００４８】
音声Ｄ／Ａ変換回路１１で生成されたアナログ音声信号は、音声ミュート用スイッチ１４を介して時報音発生回路１５に入力されており、時報音発生回路１５によって時報音信号が付加され、音声出力端子１３から出力される。音声ミュート用スイッチ１４および時報音発生回路１５は、標準時計１０に接続された制御回路１６によってコントロールされる。
【００４９】
制御回路１６は、たとえばマイクロコンピュータからなり、第１〜第５ポートＰ１，Ｐ２，Ｐ３，Ｐ４，Ｐ５を含む。第１〜第４ポートＰ１，Ｐ２，Ｐ３，Ｐ４には、それぞれスイッチＳＷ４，ＳＷ５，ＳＷ６，ＳＷ７が接続され、Ｐ５は音声ミュート用スイッチ１４に接続されている。
【００５０】
図５は、図４に示した制御回路１６の動作を示すフローチャートである。　なお、このフローチャートにおいては、時報時刻のｔ秒前から時報時刻までの間、時報音出力を行なうものとする。
【００５１】
ステップＳ２１において、制御回路１６は、第４ポートＰ４がスイッチＳＷ７によって「Ｌ」レベルにされているか否かを検出し、「Ｈ」レベルであれば、ステップＳ２２へ移る。また、「Ｈ」レベルでなければ（「Ｌ」レベルであれば）、ステップＳ２１に戻り、時報音出力を行なわない。
【００５２】
ステップＳ２２において、制御回路１６は、第３ポートＰ３がスイッチＳＷ６によって「Ｌ」レベルにされているか否かを検出し、「Ｌ」レベルであれば、ステップＳ２３へ移り、第５ポートＰ５を介して音声ミュート用スイッチ１４を制御し、音声Ｄ／Ａ変換回路１１からの音声信号の遮断、すなわち音声ミュートを行い、ステップＳ２４に移る。また、「Ｌ」レベルでなければ（「Ｈ」レベルであれば）、音声ミュートは行わず、ステップＳ２４に移行する。
【００５３】
ステップＳ２４において、標準時計１０からの時計データが５９分（６０−ｔ）秒であれば、ステップＳ２５に移り、時報音を発生し、ステップＳ２６へ移る。そうでなければ、ステップＳ２１に戻り、標準時計１０からの時計データが５９分（６０−ｔ）秒になるまで繰り返す。
【００５４】
ステップＳ２６において、標準時計１０からの時計データが００分００秒でなければ、ステップＳ２５に戻り、時報音を出力しつづける。標準時計１０からの時計データが００分００秒になれば、ステップＳ２７、ステップＳ２８に移り、時報音を停止するとともに、音声ミュートを行っている場合は音声ミュートを解除し、ステップＳ２１に戻る。
【００５５】
したがって、この実施の形態２によれば、時報音を出力するかしないかの設定、音声ミュートを行なうか行なわないかの設定および、時報時刻のｔ秒前から時報時刻までの時報音出力の設定が実現できる。
【００５６】
図６は、映像受信装置２０の制御回路１６の動作において、時報時刻のｔ秒前から時報時刻までの間時報音出力を行なうための時報音発生秒数（ｔ秒）を設定する方法を示すフローチャートである。
【００５７】
ステップＳ３１において、制御回路１６は、第１ポートＰ１がスイッチＳＷ４によって「Ｌ」でレベルにされているか否かを検出し、「Ｌ」レベルであれば、ステップＳ３４へ移り、ｔ秒に１秒を加算し、ステップＳ３１に戻る。また、「Ｈ」レベルであれば（「Ｌ」レベルでなければ）、ステップＳ３２に移る。ステップＳ３２において、制御回路１６は、第２ポートＰ２がスイッチＳＷ５によって「Ｌ」レベルにされているか否かを検出し、「Ｌ」レベルであれば、ステップＳ３３へ移り、ｔ秒から１秒を減算する。また、「Ｈ」レベルであれば（「Ｌ」レベルでなければ）、ステップＳ３１へ戻る。よって、時報音発生秒数（ｔ秒）を任意の秒数に設定することができる。
【００５８】
［実施の形態３］
図７は、この発明の実施の形態３による映像受信装置２１の概略構成を示す回路ブロック図である。
【００５９】
図７を参照して、この映像受信装置２１が図１の映像受信装置２と異なる点は、外部制御入力端子１７が追加されている点である。映像受信装置２１において、外部制御入力端子１７は制御回路９に接続されており、外部制御信号によって実施の形態１で述べたオンスクリーン表示の有無および、オンスクリーン表示秒数（ｔ秒）の設定を可能とする。したがって、スイッチＳＷ１〜ＳＷ３を直接操作する必要がないので、オンスクリーン表示の有無および、オンスクリーン表示秒数（ｔ秒）の設定を容易に行なうことができる。
【００６０】
［実施の形態４］
図８は、この発明の実施の形態４による映像受信装置２２の概略構成を示す回路ブロック図である。
【００６１】
図８を参照して、この映像受信装置２２が図４の映像受信装置２０と異なる点は、外部制御入力端子１８が追加されている点である。映像受信装置２２において、外部制御入力端子１８は制御回路１６に接続されており、外部制御信号によって実施の形態２で述べた時報音発生の有無、音声ミュートの有無および、時報音発生秒数（ｔ秒）の設定を可能とする。したがって、スイッチＳＷ４〜ＳＷ７を直接操作する必要がないので、時報音発生の有無、音声ミュートの有無および、時報音発生秒数（ｔ秒）の設定を容易に行なうことができる。
【００６２】
［実施の形態５］
図９は、この発明の実施の形態５による映像受信装置２３の概略構成を示す回路ブロック図である。
【００６３】
図９において、この映像受信装置２３は、図７および図８に示した映像受信装置２１と２２を１つにまとめ、外部制御入力端子１７と１８をリモコン受光部１９で置換したものである。リモコン受光部１９の出力端子は、制御回路９および制御回路１６に接続されており、リモコン受光部１９によって、実施の形態３で述べたオンスクリーン表示の有無およびオンスクリーン表示秒数（ｔ秒）の設定、実施の形態４で述べた時報音発生の有無、音声ミュートの有無および、時報音発生秒数（ｔ秒）の設定を可能とする。
【００６４】
［実施の形態６］
図１０は、この発明の実施の形態６による映像受信装置２４の概略構成を示す回路ブロック図である。
【００６５】
図１０において、この映像受信装置２４では、映像Ａ／Ｄ変換回路７の出力端子とオンスクリーン発生回路８の入力端子との間に、ブルーバック発生回路２５が接続されている。また、このブルーバック発生回路２５には制御回路２６が接続され、制御回路２６のポートＰ１にはスイッチＳＷ８が接続されている。
【００６６】
制御回路２６のポートＰ１が「Ｌ」レベルであれば、ブルーバック発生回路２５が動作し、映像Ｄ／Ａ変換回路７の出力信号が停止され、ブルーバックを表示する映像信号が出力される。また、「Ｈ」レベルであれば（「Ｌ」レベルでなければ）、ブルーバック発生回路２５は動作せず、映像Ｄ／Ａ変換回路７からの映像信号がそのまま出力される。したがって、この実施の形態６では、時報表示部の背景がブルーにされるので、時報表示が見やすくなる。
【００６７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００６８】
【発明の効果】
以上のように、この発明に係る映像受信装置では、入力された高周波信号を受信する無線受信回路と、受信した高周波信号から変換されたデータ圧縮信号を元のデジタル映像信号およびデジタル音声信号に戻すデータ伸長回路と、デジタル映像信号をアナログ映像信号に変換する映像デジタル／アナログ変換回路と、入力されたデジタル音声信号をアナログ音声信号に変換する音声デジタル／アナログ変換回路とを備え、標準時刻を示す時刻データ信号を出力する時計手段と、アナログ映像信号に標準時刻データ信号を付加するオンスクリーン表示手段と、時刻データ信号に基づいて予め定められた表示時間だけアナログ映像信号に時刻データ信号を付加するようにオンスクリーン表示手段を制御する制御手段とが設けられる。したがって、従来の、映像データの圧縮・伸長に要する時間遅延により、放送局からの時刻表示が遅れるという問題が解決され、テレビ画像に表示される時刻表示は、正確なものとなる。
【００６９】
好ましくは、時刻データ信号は、標準時刻の予め定められた表示時間前から標準時刻までアナログ映像信号に付加される。この場合は、標準時刻を過ぎれば時刻表示が消えるので、時刻表示のない受信した元の画像が表示される。
【００７０】
また、好ましくは、さらに、表示時間を所望の時間に調整する表示時間調整手段が設けられる。この場合は、視聴している番組などに支障を与えないよう、時報時刻表示開始前に好みの表示時間の設定が可能となる。
【００７１】
また、好ましくは、さらに、アナログ音声信号に時報音信号を付加して時報音を発生させる時報音信号付加手段が設けられ、制御手段は、時計手段からの時刻データに基づいて予め定められた付加時間だけアナログ音声信号に時報音信号を付加するように時報音信号付加手段を制御する。したがって、オンスクリーン表示のみならず、スピーカから正確な時報音を出力することが可能となる。
【００７２】
また、好ましくは、時刻データ信号は、標準時刻の予め定められた付加時間前から標準時刻までアナログ音声信号に付加される。この場合は、標準時刻を過ぎれば時報音が出力されないので、時報音のない受信した元の音声が出力される。
【００７３】
また、好ましくは、時報音信号付加手段は、時報音信号付加期間に伝送中の音声信号を一時的に停止し、時報音に切り換える切換回路を含む。したがって、伝送中の音声信号を一時的に停止することで、時報音をより効果的に聞き取ることが可能となる。
【００７４】
また、好ましくは、さらに、時報音信号を付加する時間を所望の時間に調整する時報音信号付加時間調整手段が設けられる。したがって、視聴している番組などに支障を与えないよう、時報時刻表示開始前に好みの時報音信号付加時間の調整が可能となる。
【００７５】
また、好ましくは、さらに、オンスクリーン表示手段の機能を使用するかしないかを選択する第１の選択手段が設けられる。
【００７６】
また、好ましくは、第１の選択手段は、オン／オフによってオンスクリーン表示手段の機能を使用するかしないかを選択するスイッチを含む。
【００７７】
また、好ましくは、第１の選択手段は、外部からの制御信号を入力する入力端子を含む。
【００７８】
また、好ましくは、第１の選択手段は、赤外線リモコン信号を受信し、電気信号に変換して制御手段に伝達するリモコン受光手段が設けられる。
【００７９】
また、好ましくは、さらに、時報音信号付加手段の機能を使用するかしないかを選択する第２の選択手段が設けられる。
【００８０】
また、好ましくは、第２の選択手段は、オン／オフによって時報音信号付加手段の機能を使用するかしないかを選択するスイッチを含む。
【００８１】
また、好ましくは、さらに、第２の選択手段は、外部からの制御信号を入力する入力端子を含む。
【００８２】
また、好ましくは、第２の選択手段は、赤外線リモコン信号を受信し、電気信号に変換して制御手段に伝達するリモコン受光手段が設けられる。したがって、好みにより、オンスクリーン表示のオン／オフ、時報音のオン／オフ、およびそのコントロールを本体内蔵のスイッチもしくは外部からの制御信号やリモコンで設定することが可能となる。
【００８３】
また、好ましくは、さらに、時刻データ信号付加手段は、ブルーバック背景を表示するブルーバック映像信号でアナログ映像信号を置換し、そのブルーバック映像信号に時刻データ信号を付加する。したがって、伝送中の映像信号がない場合でも、テレビ画面にはブルーバック背景にオンスクリーン時刻表示を行なうことが可能となる。
【００８４】
また、この発明に係る映像伝送システムでは、入力されたアナログ映像信号をデジタル映像信号に変換する映像アナログ／デジタル変換回路と、入力されたアナログ音声信号をデジタル信号に変換する音声アナログ／デジタル変換回路と、デジタル映像信号およびデジタル音声信号をデータ圧縮するデータ圧縮回路と、このデータ圧縮回路からの圧縮映像音声信号を高周波信号に変換して送信する無線回路とを含む映像送信装置と、上記映像受信装置とが設けられる。したがって、この発明により、データ圧縮・伸長を行なう映像伝送システムにおいて、時刻表示と時報音が遅れるという問題が解消される。
【図面の簡単な説明】
【図１】この発明の実施の形態１による映像伝送システムの概略構成を示す回路ブロック図である。
【図２】図１に示した制御回路の動作を示すフローチャートである。
【図３】図１に示した制御回路の動作を示す他のフローチャートである。
【図４】この発明の実施の形態２による映像受信装置の概略構成を示す回路ブロック図である。
【図５】図４に示した制御回路の動作を示すフローチャートである。
【図６】図４に示した制御回路の動作を示す他のフローチャートである。
【図７】この発明の実施の形態３による映像受信装置の概略構成を示す回路ブロック図である。
【図８】この発明の実施の形態４による映像受信装置の概略構成を示す回路ブロック図である。
【図９】この発明の実施の形態５による映像受信装置の概略構成を示す回路ブロック図である。
【図１０】この発明の実施の形態６による映像受信装置の概略構成を示す回路ブロック図である。
【図１１】従来の映像伝送システムの概略構成を示すブロック図である。
【符号の説明】
１，６０　映像伝送システム、２，２０，２１，２２，２３，２４，４０　映像受信装置、３，４１　アンテナ、４，４２　アンテナ端子、５，４３　無線受信回路、６，４４　データ伸張回路、７，４５　映像Ｄ／Ａ変換回路、８　オンスクリーン発生回路、９，１６，２６　制御回路、１０　標準時計、１１，４９音声Ｄ／Ａ変換回路、１２，５０　映像出力端子、１３，５１　音声出力端子、１４　音声ミュート用スイッチ、１５　時報音発生回路、１７，１８　外部制御入力、１９　リモコン受光部、２５　ブルーバック発生回路、３０　映像送信装置、３１　　映像入力端子、３２　　音声入力端子、３３　　アンテナ端子、３４　データ圧縮回路、３５　無線送信回路、３６　映像Ｄ／Ａ変換回路、３７　送信アンテナ端子、３８　送信アンテナ。
【図１】
2004088690.tif 000003
【図２】
2004088690.tif 000004
【図３】
2004088690.tif 000005
【図４】
2004088690.tif 000006
【図５】
2004088690.tif 000007
【図６】
2004088690.tif 000008
【図７】
2004088690.tif 000009
【図８】
2004088690.tif 000010
【図９】
2004088690.tif 000011
【図１０】
2004088690.tif 000012
【図１１】
2004088690.tif 000013